(57)【特許請求の範囲】
【請求項１】
車内に設置された移動可能な補助スピーカと無線接続する無線通信部と、
無線接続された前記補助スピーカの設置位置を特定する設置位置特定部と、
前記設置位置特定部によって特定された前記補助スピーカの設置位置に応じて、前記補助スピーカから出力させる音声を切り替える音声出力制御部と
を備えることを特徴とする音声出力装置。
【請求項２】
前記音声出力制御部は、前記設置位置特定部により前記補助スピーカの設置位置が前記車内の前列であると特定された場合、前記補助スピーカからナビゲーション案内音声またはハンズフリー通話音声を出力させるとともに、前記車内に設置されている固定スピーカからの前記ナビゲーション案内音声または前記ハンズフリー通話音声の割り込み出力を停止させる
ことを特徴とする請求項１に記載の音声出力装置。
【請求項３】
無線接続された前記補助スピーカの受信信号強度を測定する測定部と、
前記測定部によって初期設定時に測定された前記受信信号強度と、前記補助スピーカの設置位置と、前記補助スピーカから出力させる音声との対応付けがなされた対応情報を記憶部に記憶させる登録部とをさらに備え、
前記設置位置特定部は、前記補助スピーカの設置時に前記測定部によって測定された前記受信信号強度に基づいて、前記記憶部に記憶されている前記対応情報を参照して、前記補助スピーカの設置位置を特定する第１の特定部を備え、
前記音声出力制御部は、前記記憶部に記憶されている前記対応情報を参照して、前記第１の特定部により特定された前記補助スピーカの設置位置に対応する音声を特定し、当該音声を前記補助スピーカから出力させる
ことを特徴とする請求項１または２に記載の音声出力装置。
【請求項４】
前記設置位置特定部は、前記初期設定時に前記補助スピーカの設置位置をユーザに入力させることにより、前記補助スピーカの設置位置を特定する第２の特定部をさらに備え、
前記登録部は、前記測定部によって前記初期設定時に測定された前記受信信号強度と、前記第２の特定部によって特定された前記補助スピーカの設置位置と、前記補助スピーカから出力させる音声との対応付けがなされた対応情報を前記記憶部に記憶させる
ことを特徴とする請求項３に記載の音声出力装置。
【請求項５】
前記音声出力制御部は、前記設置位置特定部により前記補助スピーカの設置位置が前記車内の前列であると特定された場合、前記補助スピーカからハンズフリー通話音声を出力させる
ことを特徴とする請求項１から４のいずれか一項に記載の音声出力装置。
【請求項６】
前記音声出力制御部は、前記設置位置特定部により前記補助スピーカの設置位置が前記車内の前列であると特定された場合、前記補助スピーカからナビゲーション案内音声を出力させる
ことを特徴とする請求項１から４のいずれか一項に記載の音声出力装置。
【請求項７】
前記音声出力制御部は、前記設置位置特定部により前記補助スピーカの設置位置が前記車内の後列であると特定された場合、前記車内に設置されている固定スピーカから出力されるオーディオ音声と同じオーディオ音声を、前記補助スピーカから出力させる
ことを特徴とする請求項１から４のいずれか一項に記載の音声出力装置。
【請求項８】
前記音声出力制御部は、前記設置位置特定部により前記補助スピーカの設置位置が前記車内の中列であると特定された場合、前記補助スピーカから車内会話音声を出力させる
ことを特徴とする請求項１から４のいずれか一項に記載の音声出力装置。
【請求項９】
前記音声出力制御部は、前記設置位置特定部により前記補助スピーカの設置位置が前記車内の中列であると特定された場合、前記車内に設置されている固定スピーカから出力されるオーディオ音声に対応するセンタースピーカ用の音声を、前記補助スピーカから出力させる
ことを特徴とする請求項１から４のいずれか一項に記載の音声出力装置。
【請求項１０】
車内に設置された移動可能な補助スピーカから音声を出力させることが可能な音声出力装置による音声出力制御方法であって、
前記音声出力装置の無線通信部が、前記補助スピーカと無線接続する無線接続工程と、
前記音声出力装置の設置位置特定部が、無線接続された前記補助スピーカの設置位置を特定する設置位置特定工程と、
前記音声出力装置の音声出力制御部が、前記設置位置特定工程にて特定された前記補助スピーカの設置位置に応じて、前記補助スピーカから出力させる音声を切り替える音声出力制御工程と
を含むことを特徴とする音声出力制御方法。
【請求項１１】
前記音声出力制御工程において、前記音声出力制御部は、前記設置位置特定工程にて前記補助スピーカの設置位置が前記車内の前列であると特定された場合、前記補助スピーカからナビゲーション案内音声またはハンズフリー通話音声を出力させるとともに、前記車内に設置されている固定スピーカからの前記ナビゲーション案内音声または前記ハンズフリー通話音声の割り込み出力を停止させる
ことを特徴とする請求項１０に記載の音声出力制御方法。
【発明の詳細な説明】
【技術分野】
【０００１】
本発明は、音声出力装置および音声出力制御方法に関し、特に、車内に設置されたスピーカから音声を出力させることが可能な音声出力装置および音声出力制御方法に用いて好適なものである。
【背景技術】
【０００２】
従来、多くの車両において、車内に複数の固定スピーカ（例えば、フロントスピーカ、リアスピーカ等）が設置されており、複数の固定スピーカからオーディオ音声（例えば、ＣＤ音声、ＤＶＤ音声、ラジオ音声等）を出力することができるようになっている。また、一部の固定スピーカ（例えば、フロントスピーカ）から特定の音源の音声（例えば、ナビゲーション案内音声、ハンズフリー通話音声等）を割り込み出力することができるようになっている。
【０００３】
ところで、従来、複数のスピーカを備えて構成された音響システムにおいて、一定の効果を得ることができるように、各スピーカからの音声の出力を制御する技術が考案されている。例えば、下記特許文献１には、様々な音声情報を乗員が聞き取りやすくなるように、音声情報の優先度または種類に応じて、音声情報の出力位置と音量とを制御する技術が開示されている。例えば、音声情報の優先度が高い場合には、ドライバーが聞き取りやすいように音声情報をシートスピーカから出力して、音声情報の優先度が低い場合には、音声情報をフロントドアスピーカから出力するといった具合である。
【０００４】
また、下記特許文献２には、設置位置が変更可能な第１のスピーカと、設置位置が固定されている複数の第２のスピーカとを備えた音声出力装置において、第１のスピーカの設置位置が変更された場合、その変更前に設定した音場が保たれるように、第１のスピーカの変更後の設置位置と、複数の第２のスピーカの設置位置とに応じて、各スピーカからの音声信号の出力を調整する技術が開示されている。
【先行技術文献】
【特許文献】
【０００５】
【特許文献１】特開２００６−１９４６３３号公報
【特許文献２】特許第４１５０７５０号公報
【発明の概要】
【発明が解決しようとする課題】
【０００６】
しかしながら、従来、一部の乗員に対して、特定の音源の音声を聞こえ易くさせることができないといった問題が生じていた。例えば、３列シートのうちの１，２列目の座席の乗員に対してオーディオ音声を聞こえ易くさせることができるように、１，２列目の座席の近傍にスピーカが配置されている場合がある。この場合、３列目の座席の乗員にとってオーディオ音声が聞こえ難いといった問題が生じていた。
【０００７】
特許文献２の技術は、第１のスピーカを任意の設置位置に変更することができるようになっているため、特許文献２の技術を適用すれば、第１のスピーカを３列目の座席の近傍に設置することも可能であると考えられる。しかしながら、この場合、変更前に設定した音場が保たれるように各スピーカからの音声信号の出力が調整されるため、３列目の座席の乗員にとってオーディオ音声が聞こえ易くなるとは言い難い。
【０００８】
加えて、従来、割り込み音声によって特定の音源の音声が途切れてしまい、一部の乗員に対して不快感を与えてしまうといった問題が生じていた。例えば、オーディオ音声の再生中に、ドライバーがナビゲーション案内音声またはハンズフリー通話音声を良好に聞くことができるように、ドライバーの近傍に設置されているスピーカから、ナビゲーション案内音声またはハンズフリー通話音声を割り込み出力させることがある。この場合、ドライバーにとってはオーディオ音声が途切れて聞こえてしまうため、ドライバーに不快感を与えてしまうといった問題が生じていた。
【０００９】
なお、特許文献１の技術を適用した場合も、ドライバーに対してシートスピーカからナビゲーション案内音声やハンズフリー通話音声を聞き易いようにすることができると考えられる。しかしながら、この場合も、ドライバーにとってオーディオ音声が途切れて聞こえてしまうため、ドライバーに不快感を与えてしまう。
【００１０】
本発明は、このような問題を解決するために成されたものであり、車両の特定位置にいる一部の乗員が、特定の音源の音声を聞き易くなるようにすることを目的とする。
【課題を解決するための手段】
【００１１】
上記した課題を解決するために、本発明では、車内に設置された移動可能な補助スピーカと無線接続し、無線接続された補助スピーカの設置位置を特定し、特定された補助スピーカの設置位置に応じて、補助スピーカから出力させる音声を切り替えるようにしている。
【発明の効果】
【００１２】
上記のように構成した本発明によれば、ユーザが車内の任意の位置に補助スピーカを設置すると、補助スピーカから出力される音声が、その設置位置に応じた音声に自動的に切り替えられる。例えば、３列目に固定スピーカが設置されていない車内において、３列目に補助スピーカを設置した場合、その設置位置に応じて、特定の音源の音声を補助スピーカから出力させることができる。このため、３列目の位置にいる一部の乗員が、特定の音源の音声が聞き易くなるようにすることができる。また、１列目に補助スピーカを設置した場合、その設置位置に応じて、割り込み音声を補助スピーカから出力させることができ、特定の音源の音声が出力されている固定スピーカからその割り込み音声を割り込み出力させることが不要となる。このため、割り込み音声による特定の音源の音声の音切れが生じないようにして、１列目の位置にいる一部の乗員が、特定の音源の音声が聞き易くなるようにすることができる。
【図面の簡単な説明】
【００１３】
【図１】本発明の一実施形態に係る車載装置の機能構成例を示すブロック図である。
【図２】本発明の一実施形態に係る記憶部に記憶されている推奨設定情報および対応情報の一例を示す図である。
【図３】本発明の一実施形態に係る車載装置による音声の出力例を示す図である。
【図４】本発明の一実施形態に係る補助スピーカの設置位置の選択画面の一例を示す図である。
【図５】本発明の一実施形態に係るヘッドユニットによる初期設定処理の一例を示すフローチャートである。
【図６】本発明の一実施形態に係るヘッドユニットによる音声出力切替処理の一例を示すフローチャートである。
【発明を実施するための形態】
【００１４】
以下、本発明の一実施形態を図面に基づいて説明する。図１は、本発明の一実施形態に係る車載装置１０の機能構成例を示すブロック図である。
【００１５】
図１に示すように、車載装置１０は、ヘッドユニット１００と、複数の固定スピーカ２０１〜２０４（フロント左スピーカ２０１、フロント右スピーカ２０２、リア左スピーカ２０３およびリア右スピーカ２０４）と、補助スピーカ２０５とを備えて構成されている。ヘッドユニット１００は、特許請求の範囲に記載の音声出力装置の一例であって、自動車等の車両に搭載されている装置である。複数の固定スピーカ２０１〜２０４は、ヘッドユニット１００と有線接続されており、車内に固定的に設置されている。補助スピーカ２０５は、ヘッドユニット１００と無線接続可能であり、車内の任意の位置に設置可能である。
【００１６】
ヘッドユニット１００は、音声出力可能な装置として、ＣＤ再生装置１０１、ＤＶＤ再生装置１０２、ラジオ受信装置１０３を備えるとともに、ナビゲーション装置１０４、ハンズフリー通話装置１０５および車内会話装置１０６が接続されている。ヘッドユニット１００は、これらの装置から出力された音声（例えば、ＣＤ再生装置１０１、ＤＶＤ再生装置１０２、ラジオ受信装置１０３から出力されたオーディオ音声、ナビゲーション装置１０４から出力された案内音声、ハンズフリー通話装置１０５から出力された通話音声、車内会話装置１０６から出力された会話音声等）を、各固定スピーカ２０１〜２０４および補助スピーカ２０５から出力させることができるようになっている。
【００１７】
また、ヘッドユニット１００は、記憶部１０７、ディスプレイ１０８およびタッチパネル１０９を備えている。また、ヘッドユニット１００は、その機能構成として、登録部１１０、無線通信部１１１、測定部１１２、設置位置特定部１１３および音声出力制御部１１４を備えている。
【００１８】
上記各機能ブロック１１０〜１１４は、ハードウェア、ＤＳＰ（Digital Signal Processor）、ソフトウェアの何れによっても構成することが可能である。例えばソフトウェアによって構成する場合、上記各機能ブロック１１０〜１１４は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１９】
記憶部１０７は、補助スピーカ２０５の設置位置に応じて補助スピーカ２０５から出力させる音声をユーザに推奨するための情報（以下、「推奨設定情報」と称する）を記憶する。また、記憶部１０７は、補助スピーカ２０５の設置位置に応じて補助スピーカ２０５から出力させる音声を特定するための情報（以下、「対応情報」と称する）を記憶する。
【００２０】
具体的には、推奨設定情報は、車内にて予め定められた３つの設置位置（前列、中列、後列）の各々に対し、補助スピーカ２０５から出力させる音声の推奨値を対応付けて記憶したものである。また、対応情報は、車内にて予め定められた３つの設置位置（前列、中列、後列）の各々に対し、補助スピーカ２０５から出力させる音声および補助スピーカ２０５の受信信号強度を対応付けて記憶したものである。なお、推奨設定情報および対応情報の具体例については、図２を用いて後述する。
【００２１】
ディスプレイ１０８は、各種表示画面（例えば、メニュー画面、地図画面、オーディオ操作画面等）を表示する。ディスプレイ１０８には、例えば液晶ディスプレイ、有機ＥＬディスプレイ等が用いられる。
【００２２】
タッチパネル１０９は、各種操作（例えば、メニュー画面操作、地図画面操作、ナビゲーション設定画面操作、オーディオ操作等）を行うための操作部の一例である。タッチパネル１０９は、ディスプレイ１０８の表面に重ねて設けられている。
【００２３】
無線通信部１１１は、車内に設置された補助スピーカ２０５と無線接続する。補助スピーカ２０５との無線接続には、例えばBluetooth（登録商標）、Wi-Fi、赤外線通信等の無線接続方式を用いることができる。測定部１１２は、無線通信部１１１によって無線接続された補助スピーカ２０５の受信信号強度（RSSI：Received Signal Strength Indication）を測定する。
【００２４】
登録部１１０は、ユーザが車内に補助スピーカ２０５を設置して初期設定を行うときに、補助スピーカ２０５の設置位置と、測定部１１２によって測定された補助スピーカ２０５の受信信号強度と、補助スピーカ２０５から出力させる音声とを対応付けて、記憶部１０７に対応情報として登録して記憶させる。
【００２５】
特に、本実施形態では、登録部１１０は、ユーザが車内に補助スピーカ２０５を設置して初期設定を行うときに、選択画面４００（図４参照）をディスプレイ１０８に表示させて、補助スピーカ２０５の設置位置を選択画面４００からユーザに選択させるようにしている。そして、登録部１１０は、ユーザが選択画面４００から補助スピーカ２０５の設置位置を選択することにより、この設置位置が設置位置特定部１１３（第２の特定部１１３Ｂ）によって特定されると、この設置位置を対応情報として記憶部１０７に登録するようにしている。
【００２６】
また、本実施形態では、登録部１１０は、初期設定時において、記憶部１０７に記憶されている推奨設定情報を参照して、選択画面４００から選択された補助スピーカ２０５の設置位置に対応付けられている音声をユーザに推奨するようにしている。ユーザがこの推奨に応じれば、登録部１１０は、ユーザに推奨した音声を補助スピーカ２０５から出力させる音声として記憶部１０７に登録する。ユーザがこの推奨に応じなければ、ユーザが任意に選択した音声を補助スピーカ２０５から出力させる音声として記憶部１０７に登録する。
【００２７】
設置位置特定部１１３は、無線通信部１１１によって無線接続された補助スピーカ２０５の設置位置を特定する。設置位置特定部１１３は、第１の特定部１１３Ａおよび第２の特定部１１３Ｂを有する。第１の特定部１１３Ａは、ユーザが車内に補助スピーカ２０５を設置したときに、測定部１１２によって測定された補助スピーカ２０５の受信信号強度に基づいて、補助スピーカ２０５の設置位置を特定する。第２の特定部１１３Ｂは、初期設定時に、補助スピーカ２０５の設置位置を選択画面４００（図４参照）からユーザに入力させることにより、補助スピーカ２０５の設置位置を特定する。
【００２８】
特に、本実施形態では、補助スピーカ２０５の受信信号強度と補助スピーカ２０５の設置位置との対応付けを初期設定時に行い、記憶部１０７において対応情報にて記憶するようにしている。そこで、本実施形態では、第１の特定部１１３Ａは、記憶部１０７に記憶されている対応情報を参照することにより、測定部１１２によって測定された補助スピーカ２０５の受信信号強度に応じて、補助スピーカ２０５の設置位置を特定するようにしている。
【００２９】
音声出力制御部１１４は、設置位置特定部１１３によって特定された補助スピーカ２０５の設置位置に応じて、補助スピーカ２０５から出力させる音声を切り替える。本実施形態では、補助スピーカ２０５の設置位置と補助スピーカ２０５から出力させる音声との対応付けを初期設定時に行い、記憶部１０７において対応情報にて記憶するようにしている。そこで、本実施形態では、音声出力制御部１１４は、記憶部１０７に記憶されている対応情報を参照することにより、設置位置特定部１１３によって特定された補助スピーカ２０５の設置位置に応じて、補助スピーカ２０５から出力させる音声を特定するようにしている。
【００３０】
また、本実施形態では、音声出力制御部１１４は、設置位置特定部１１３により補助スピーカ２０５の設置位置が車内の前列であると特定された場合、補助スピーカ２０５からナビゲーション案内音声またはハンズフリー通話音声を出力させるとともに、車内に設置されている固定スピーカ２０１，２０２からのナビゲーション案内音声またはハンズフリー通話音声の割り込み出力を停止させるようにしている。
【００３１】
〔推奨設定情報および対応情報の一例〕
図２は、本発明の一実施形態に係る記憶部１０７に記憶されている推奨設定情報および対応情報の一例を示す図である。
【００３２】
図２（ａ）に示すように、推奨設定情報は、車内にて予め定められた３つの設置位置（前列、中列、後列）の各々に対し、補助スピーカ２０５から出力させる音声の推奨値が対応付けられている。この推奨設定情報は、予め記憶部１０７に記憶されているものである。
【００３３】
この推奨設定情報は、登録部１１０により、初期設定時に、補助スピーカ２０５の設置位置と、補助スピーカ２０５の受信信号強度と、補助スピーカ２０５から出力させる音声とを対応付けて対応情報として記憶部１０７に登録する際に、補助スピーカ２０５から出力させる音声の推奨値をユーザに提示する際に参照される。
【００３４】
例えば、設置位置特定部１１３（第２の特定部１１３Ｂ）によって補助スピーカ２０５の設置位置が「後列」であると特定された場合、登録部１１０は、図２（ａ）に示す推奨設定情報に基づき、補助スピーカ２０５から出力させる音声の推奨値として「ＣＤ／ＤＶＤ／ラジオ」をユーザに提示する。
【００３５】
一方、図２（ｂ）に示すように、対応情報は、車内にて予め定められた３つの設置位置（前列、中列、後列）の各々に対し、補助スピーカ２０５から出力させる音声と、補助スピーカ２０５の受信信号強度とが対応付けられている。この対応情報は、図５の初期設定処理により、設置位置毎に記憶部１０７に登録されるものである。
【００３６】
例えば、図２（ｂ）の対応情報において、補助スピーカ２０５の設置位置「前列」に対応付けられている音声「ハンズフリー通話／ナビゲーション」および受信信号強度「−３０ｄＢｍ」は、ユーザが設置位置「前列」に初めて補助スピーカ２０５を設置したときに、図５の初期設定処理により登録されたものである。このうち、音声「ハンズフリー通話／ナビゲーション」は、図５の初期設定処理において、ユーザが設定したものである。また、受信信号強度「−３０ｄＢｍ」は、図５の初期設定処理において、測定部１１２によって測定されたものである。これに加え、図２（ｂ）の対応情報は、ユーザが設置位置「中列」に初めて補助スピーカ２０５を設置したときの初期設定処理により登録された情報と、ユーザが設置位置「後列」に初めて補助スピーカ２０５を設置したときの初期設定処理により登録された情報とをさらに含んでいる。
【００３７】
この対応情報は、設置位置特定部１１３（第１特定部１１３Ａ）によって、補助スピーカ２０５の受信信号強度に基づいて補助スピーカ２０５の設置位置を特定する際に参照される。また、この対応情報は、音声出力制御部１１４によって、特定された補助スピーカ２０５の設置位置に基づいて補助スピーカ２０５から出力させる音声を特定する際に参照される。
【００３８】
例えば、測定部１１２によって測定された補助スピーカ２０５の受信信号強度が「−５０ｄＢｍ」であった場合、設置位置特定部１１３（第１特定部１１３Ａ）は、図２（ｂ）に示す対応情報に基づき、補助スピーカ２０５の設置位置が「後列」であると特定する。また、音声出力制御部１１４は、図２（ｂ）に示す対応情報に基づき、補助スピーカ２０５から出力させる音声が「ＣＤ／ＤＶＤ／ラジオ」であると特定する。
【００３９】
なお、この例において、ユーザが車内の後列に補助スピーカ２０５を設置したとしても、測定部１１２によって測定される受信信号強度が「−５０ｄＢｍ」と同値になるとは限らない。後列において、初期設定時と異なる位置に補助スピーカ２０５が設置される可能性があるからである。このため、設置位置特定部１１３（第１特定部１１３Ａ）は、測定部１１２によって測定された受信信号強度が「−５０ｄＢｍ」前後の許容範囲内（例えば、「−４５ｄＢｍ〜−５５ｄＢｍ」の範囲内）であれば、補助スピーカ２０５の設置位置が「後列」であると特定することが好ましい。
【００４０】
〔音声の出力例〕
図３は、本発明の一実施形態に係る車載装置１０による音声の出力例を示す図である。図３（ａ）は、補助スピーカ２０５を車両２０の車内の前列に設置した場合に各スピーカから出力される音声を示したものである。また、図３（ｂ）は、補助スピーカ２０５を車両２０の車内の中列に設置した場合に各スピーカから出力される音声を示したものである。また、図３（ｃ）は、補助スピーカ２０５を車両２０の車内の後列に設置した場合に各スピーカから出力される音声を示したものである。
【００４１】
図３（ａ）〜（ｃ）に示すように、補助スピーカ２０５の設置位置に因らず、各固定スピーカ２０１〜２０４からは、「ＣＤ／ＤＶＤ／ラジオ」の音声が出力されるようになっている。また、図３（ｂ），（ｃ）に示すように、通常は左右のフロントスピーカ２０１，２０２から「ハンズフリー通話／ナビゲーション」の音声が割り込み出力されるようになっている。
【００４２】
図３（ａ）に示すように、補助スピーカ２０５を車両２０の車内の前列に設置した場合、図２（ｂ）の対応情報に基づく音声出力制御部１１４の制御により、補助スピーカ２０５からは、「ハンズフリー通話／ナビゲーション」の音声が出力されるようになる。これに伴い、「ハンズフリー通話／ナビゲーション」の音声の各固定スピーカ２０１，２０２からの割り込み出力は中止されることとなる。これにより、車両２０のドライバーに対して、「ハンズフリー通話／ナビゲーション」の音声を補助スピーカ２０５から聞かせることができるようになるとともに、「ＣＤ／ＤＶＤ／ラジオ」の音声を途切れさせることなく固定スピーカ２０１，２０２から聞かせることができるようになる。
【００４３】
また、図３（ｂ）に示すように、補助スピーカ２０５を車両２０の車内の中列に設置した場合、図２（ｂ）の対応情報に基づく音声出力制御部１１４の制御により、補助スピーカ２０５からは、「車内会話／ＤＶＤセンタースピーカ」の音声が出力されるようになる。これにより、補助スピーカ２０５から「車内会話」の音声が出力された場合、車両２０の中列の乗員に対して、「車内会話」の音声（例えば、前列に設置されているマイク（図示省略）から入力されたドライバーの発話音声）を聞こえ易くさせることができる。また、補助スピーカ２０５から「ＤＶＤセンタースピーカ」の音声が出力された場合、ＤＶＤ音声の出力チャンネル数が増えるため、車両２０の各乗員に対して、臨場感のあるＤＶＤ音声を聞かせることができる。
【００４４】
また、図３（ｃ）に示すように、補助スピーカ２０５を車両２０の車内の後列に設置した場合、図２（ｂ）の対応情報に基づく音声出力制御部１１４の制御により、補助スピーカ２０５からは、各固定スピーカ２０１〜２０４と同様に、「ＣＤ／ＤＶＤ／ラジオ」の音声が出力されるようになる。これにより、車両２０の後列に乗員に対して、「ＣＤ／ＤＶＤ／ラジオ」の音声を聞こえ易くさせることができる。
【００４５】
〔スピーカの設置位置の選択画面の一例〕
図４は、本発明の一実施形態に係る補助スピーカ２０５の設置位置の選択画面の一例を示す図である。図４に示す選択画面４００は、図５の初期設定処理において、補助スピーカ２０５の設置位置をユーザに選択させる際に、ディスプレイ１０８に表示される表示画面である。図４に示すように、選択画面４００は、車両２０の座席の配置が模式的に示されている。
【００４６】
選択画面４００において、車両２０の予め定められた３つの設置位置（前列、中列、後列）には、補助スピーカ２０５の設置位置をユーザが選択するための選択ボタン４０１〜４０３が表示されている。例えば、車両２０の前列には、その前列に補助スピーカ２０５を設置したことをユーザが選択するための選択ボタン４０１が表示されている。また、車両２０の中列には、その中列に補助スピーカ２０５を設置したことをユーザが選択するための選択ボタン４０２が表示されている。また、車両２０の後列には、その後列に補助スピーカ２０５を設置したことをユーザが選択するための選択ボタン４０３が表示されている。
【００４７】
ユーザは、タッチパネル１０９の操作によって選択ボタン４０１〜４０３の何れかを選択することにより、実際に補助スピーカ２０５を設置した位置（前列、中列、後列の何れか）を、ヘッドユニット１００に認識させることができる。
【００４８】
〔初期設定処理の一例〕
図５は、本発明の一実施形態に係るヘッドユニット１００による初期設定処理の一例を示すフローチャートである。図５に示す処理は、例えば、ユーザが車内の各列に初めて補助スピーカ２０５を設置したときに、補助スピーカ２０５の設置位置と、補助スピーカ２０５の受信信号強度と、補助スピーカ２０５から出力させる音声とを対応付けて、記憶部１０７に対応情報として登録しておくために実行される。
【００４９】
まず、無線通信部１１１が、車内に設置された補助スピーカ２０５と無線接続する（ステップＳ５０２）。次に、登録部１１０が、補助スピーカ２０５の設置位置の選択画面４００（図４参照）をディスプレイ１０８に表示させる（ステップＳ５０４）。そして、設置位置特定部１１３の第２の特定部１１３Ｂが、ユーザによるタッチパネル１０９の操作による、選択画面４００に対する補助スピーカ２０５の設置位置の選択を受け付ける（ステップＳ５０６）。これにより、第２の特定部１１３Ｂは、補助スピーカ２０５の設置位置を特定する（ステップＳ５０８）。
【００５０】
続いて、登録部１１０が、記憶部１０７に記憶されている推奨設定情報（図２（ａ）参照）を参照して、ステップＳ５０８で特定された補助スピーカ２０５の設置位置に対応する、補助スピーカ２０５から出力させる音声の推奨値をディスプレイ１０８に表示させてユーザに提示する（ステップＳ５１０）。
【００５１】
そして、登録部１１０が、ステップＳ５１０でユーザに提示した推奨設定を適用するか否かを判断する（ステップＳ５１２）。例えば、登録部１１０は、ユーザによるタッチパネル１０９の操作による、推奨設定を適用するか否かの選択結果に基づいて、ステップＳ５１０でユーザに提示した推奨設定を適用するか否かを判断する。
【００５２】
ここで、推奨設定を適用すると登録部１１０が判断した場合（ステップＳ５１２：Ｙｅｓ）、登録部１１０は、ステップＳ５１０でユーザに推奨した音声を補助スピーカ２０５から出力させる音声として特定する（ステップＳ５１６）。
【００５３】
一方、推奨設定を適用しないと登録部１１０が判断した場合（ステップＳ５１２：Ｎｏ）、登録部１１０は、ヘッドユニット１００から出力可能な複数の音声をディスプレイ１０８に表示させ、これら複数の音声の中から、補助スピーカ２０５から出力させる音声をユーザに選択させる（ステップＳ５１４）。そして、登録部１１０は、ステップＳ５１４でユーザが選択した音声を補助スピーカ２０５から出力させる音声として特定する（ステップＳ５１６）。
【００５４】
続いて、測定部１１２が、補助スピーカ２０５の受信信号強度を測定する（ステップＳ５１８）。そして、登録部１１０が、ステップＳ５０８で特定された補助スピーカ２０５の設置位置と、ステップＳ５１６で特定された補助スピーカ２０５から出力させる音声と、ステップＳ５１８で測定された補助スピーカ２０５の受信信号強度とを互いに対応付けて、記憶部１０７に対応情報（図２（ｂ）参照）として登録する（ステップＳ５２０）。
【００５５】
最後に、音声出力制御部１１４が、補助スピーカ２０５から出力させる音声を、ステップＳ５２０で対応情報に登録した音声に切り替えて（ステップＳ５２２）、ヘッドユニット１００は、図５に示す一連の処理を終了する。
【００５６】
〔音声出力切替処理の一例〕
図６は、本発明の一実施形態に係るヘッドユニット１００による音声出力切替処理の一例を示すフローチャートである。図６に示す処理は、例えば、既に図５の初期設定処理によって記憶部１０７に対応情報が記憶されているときに、ユーザが補助スピーカ２０５を車内の任意の位置に設置したときに実行される。
【００５７】
まず、無線通信部１１１が、車内に設置された補助スピーカ２０５と無線接続する（ステップＳ６０２）。次に、測定部１１２が、無線接続された補助スピーカ２０５の受信信号強度を測定する（ステップＳ６０４）。そして、設置位置特定部１１３の第１特定部１１３Ａが、記憶部１０７に記憶されている対応情報（図２（ｂ）参照）を参照することにより、ステップＳ６０４で測定された受信信号強度に対応する補助スピーカ２０５の設置位置が対応情報に登録されているか否かを判断する（ステップＳ６０６）。
【００５８】
ここで、ステップＳ６０４で測定された受信信号強度に対応する補助スピーカ２０５の設置位置が対応情報に登録されていると第１特定部１１３Ａが判断した場合（ステップＳ６０６：Ｙｅｓ）、第１特定部１１３Ａは、記憶部１０７に記憶されている対応情報に登録されている、ステップＳ６０４で測定された受信信号強度に対応する補助スピーカ２０５の設置位置を、実際に補助スピーカ２０５が設置された設置位置として特定する（ステップＳ６０８）。そして、音声出力制御部１１４が、図２（ｂ）の対応情報を参照することにより、ステップＳ６０８で特定された補助スピーカ２０５の設置位置に対応する、補助スピーカ２０５から出力させる音声を特定し（ステップＳ６１０）、当該音声を補助スピーカ２０５から出力させる（ステップＳ６１２）。そして、ヘッドユニット１００は、図６に示す一連の処理を終了する。
【００５９】
一方、ステップＳ６０４で測定された受信信号強度に対応する補助スピーカ２０５の設置位置が対応情報に登録されていないと第１特定部１１３Ａが判断した場合（ステップＳ６０６：Ｎｏ）、ヘッドユニット１００は、図５の初期設定処理を実行する（ステップＳ６１２）。
【００６０】
以上説明したとおり、本発明の一実施形態によれば、ユーザが車内の任意の位置に補助スピーカ２０５を設置すると、補助スピーカ２０５から出力される音声が、その設置位置に応じた音声に自動的に切り替えられる。例えば、固定スピーカが設置されていない車内の３列目に補助スピーカ２０５を設置した場合、その設置位置に応じて、オーディオ音声（「ＣＤ／ＤＶＤ／ラジオ」の音声）を補助スピーカ２０５から出力させることができる。このため、３列目の位置にいる一部の乗員が、オーディオ音声が聞き易くなるようにすることができる。
【００６１】
また、１列目に補助スピーカ２０５を設置した場合、その設置位置に応じて、「ハンズフリー通話／ナビゲーション」の音声を補助スピーカ２０５から出力させることができるようになるとともに、オーディオ音声が出力されている固定スピーカ２０１，２０２から「ハンズフリー通話／ナビゲーション」の音声を割り込み出力させないようにすることができる。このため、「ハンズフリー通話／ナビゲーション」の音声によるオーディオ音声の音切れが生じないようにして、１列目の位置にいる一部の乗員が、オーディオ音声が聞き易くなるようにすることができる。
【００６２】
また、本発明の一実施形態によれば、一旦、補助スピーカ２０５の設置位置と補助スピーカ２０５の受信信号強度との対応付けを対応情報に登録してしまえば、それ以降、補助スピーカ２０５の受信信号強度に基づいて補助スピーカ２０５の設置位置を自動的に特定できるため、ユーザに手間をかけさせることなく、補助スピーカ２０５の設置位置を容易且つ確実に特定することができる。
【００６３】
なお、図６の音声出力切替処理では、補助スピーカ２０５の受信信号強度に基づいて補助スピーカ２０５の設置位置を特定するようにしているが、本発明はこれに限らない。例えば、選択画面４００（図４）をディスプレイ１０８に表示させて、この選択画面４００から補助スピーカ２０５の設置位置をユーザに選択させることにより、補助スピーカ２０５の設置位置を特定するようにしてもよい。
【００６４】
また、図５の初期設定処理では、選択画面４００（図４）から補助スピーカ２０５の設置位置をユーザに選択させることにより、補助スピーカ２０５の設置位置を特定するようにしているが、本発明はこれに限らない。例えば、車両２０に対して、補助スピーカ２０５の設置位置（前列、中列、後列）毎の受信信号強度が予め設定されている場合、測定部１１２によって測定された受信信号強度から補助スピーカ２０５の設置位置を特定するようにしてもよい。
【００６５】
また、上記実施形態において、複数の固定スピーカの配置を考慮して、補助スピーカ２０５から出力させる音声を推奨値を変更するようにしてもよい。例えば、上記実施形態では、車両２０の前列および中列に固定スピーカ２０１〜２０４が設置されているため、車両２０の中列に補助スピーカ２０５が設置された場合には、「車内会話／ＤＶＤセンタースピーカ」の音声を補助スピーカ２０５から出力させるようにユーザに推奨している。これに限らず、例えば、車両２０の前列および後列に固定スピーカ２０１〜２０４が設置されている場合、車両２０の中列に補助スピーカ２０５が設置された場合には、「ＣＤ／ＤＶＤ／ラジオ」の音声を補助スピーカ２０５から出力させるようにユーザに推奨するようにしてもよい。
【００６６】
また、上記実施形態では、３列の座席構成を有する車両２０に本発明を適用する例を説明したが、本発明はこれに限らない。例えは、２列の座席構成を有する車両２０に本発明を適用してもよく、４列以上の座席構成を有する車両２０に本発明を適用してもよい。
【００６７】
また、上記実施形態では、複数の列（前列，中列，後列）毎に補助スピーカ２０５から出力させる音声を異ならせるようにしているが、本発明はこれに限らない。例えば、前列の左側（助手席側）と右側（運転席側）とで、補助スピーカ２０５から出力させる音声を異ならせるようにしてもよい。
【００６８】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６９】
１０  車載装置（音声出力装置）
１００  ヘッドユニット
１０１  ＣＤ再生装置
１０２  ＤＶＤ再生装置
１０３  ラジオ受信装置
１０４  ナビゲーション装置
１０５  ハンズフリー通話装置
１０６  車内会話装置
１０７  記憶部
１０８  ディスプレイ
１０９  タッチパネル
１１０  登録部
１１１  無線通信部
１１２  測定部
１１３  設置位置特定部
１１３Ａ  第１特定部
１１３Ｂ  第２特定部
１１４  音声出力制御部
２０１  フロント左スピーカ
２０２  フロント右スピーカ
２０３  リア左スピーカ
２０４  リア右スピーカ
２０５  補助スピーカ
【図１】
0006388548.tif 000002
【図２】
0006388548.tif 000003
【図３】
0006388548.tif 000004
【図４】
0006388548.tif 000005
【図５】
0006388548.tif 000006
【図６】
0006388548.tif 000007